(57)【要約】【課題】好適な撮影が可能なカメラ本体およびカメラシステムを提供する。【解決手段】レンズが直接にカメラボディのボディ側マウント部に結合された場合に、第１焦点検出信号判定部３６３によって位相差検出式焦点検出部３６２が算出したデフォーカス量が第１閾値以内であると判定された時に表示部３９に合焦表示マーク３９１を表示させ、中間アダプタ３０１を介してレンズがボディ側マウント部に結合された場合に、第１焦点検出信号判定部３６３によって位相差検出式焦点検出部３６２が算出したデフォーカス量が第２閾値以内であると判定された時に表示部３９に合焦表示マーク３９１を表示させると共に第１焦点検出信号判定部３６３によって位相差検出式焦点検出部３６２が算出したデフォーカス量が第３閾値以内であると判定された時に表示部３９に合焦表示マーク３９２を表示させる。【選択図】図５
2013076719.tif 000002
【特許請求の範囲】
【請求項１】
第１交換レンズ、及び、前記第１交換レンズとは異なる第２交換レンズを取付け可能なアダプタを着脱可能なマウント部と、
焦点調節状態が第１閾値以内であるときに第１信号を出力可能であり、焦点調節状態が前記第１閾値外であり、かつ、第２閾値以内であるときに第２信号を出力可能な焦点調節制御部と、
前記焦点調節制御部から前記第１信号が出力されたとき第１態様の表示を行い、前記焦点調節制御部から前記第２信号が出力されたとき前記第１態様とは異なる第２態様の表示を行う表示部とを含むことを特徴とするカメラ本体。
【請求項２】
請求項１に記載されたカメラ本体であって、
前記マウント部に前記第１交換レンズが取付けられたか、前記マウント部に前記アダプタが取付けられたかを判断可能な判断部を有し、
焦点調節制御部は、前記判断部により前記アダプタが取付けられたと判断したときは、前記第１信号又は前記第２信号を出力可能であり、前記判断部により前記第１交換レンズが取付けられたと判断したときは、前記第２信号の出力を禁止することを特徴とするカメラ本体。
【請求項３】
請求項２に記載のカメラ本体において、
被写体像を撮像し撮像画像データを出力する撮像部を有し、
前記表示部は、前記撮像画像データに重畳させて前記第１態様又は前記第２態様の表示が可能であることを特徴とするカメラ本体。
【請求項４】
第１交換レンズ、及び、前記第１交換レンズとは異なる第２交換レンズを取付け可能なアダプタを着脱可能なマウント部と、
前記マウント部に前記第１交換レンズが取付けられたか、前記マウント部に前記アダプタが取付けられたかを判断可能な判断部と、
位相差ＡＦにより焦点調節状態を検出可能な焦点検出部と、
前記焦点検出部の検出結果に応じて焦点調節制御を行う制御部とを含み、
前記制御部は、前記判断部により前記マウント部に前記アダプタが取付けられたと判断されたとき、前記マウント部に前記第１交換レンズが取付けられたと判断されたときよりも前記焦点検出部の検出範囲を広げることを特徴とするカメラ本体。
【請求項５】
請求項４に記載されたカメラ本体であって、
前記焦点検出部は、位相差ＡＦにより焦点調節状態を検出可能な第１検出部と、コントラストＡＦにより焦点調節状態を検出可能な第２検出部とを含み、
前記制御部は、前記判断部により前記マウント部に前記アダプタが取付けられたと判断されたとき、前記第２検出部の検出結果に基づいた焦点調節制御を行わないように制御することを特徴とするカメラ本体。
【請求項６】
請求項４又は請求項５に記載されたカメラ本体であって、
前記制御部は、前記判断部により前記マウント部に前記アダプタが取付けられたと判断されたとき、前記マウント部に前記第１交換レンズが取付けられたと判断されたときと比較して、より低コントラストの状況でも焦点調節状態が検出できるように前記焦点検出部を制御することを特徴とするカメラ本体。
【請求項７】
交換レンズが着脱可能に結合可能なマウント部を有するカメラ本体であって、
装着された交換レンズの焦点調節状態を検出して、焦点検出信号を出力する焦点検出手段と、
前記焦点検出手段の焦点検出信号が第１の閾値以内であるか否か、前記焦点検出手段の焦点検出信号が第２の閾値以内であるか否か、前記焦点検出手段の焦点検出信号が前記第２の閾値よりも大きい第３の閾値以内であるか否かを判定する判定手段と、
表示手段と、
第１の交換レンズが直接に前記マウント部に結合された場合に、前記判定手段によって前記焦点検出手段の焦点検出信号が第１の閾値以内であると判定された時に前記表示手段に第１の合焦表示を行わせ、マウントアダプタを介して第２の交換レンズが前記マウント部に結合された場合に、前記判定手段によって前記焦点検出手段の焦点検出信号が第２の閾値以内であると判定された時に前記表示手段に第２の合焦表示を行わせると共に前記判定手段によって前記焦点検出手段の焦点検出信号が第３の閾値以内であると判定された時に前記表示手段に第３の合焦表示を行わせる表示制御手段と、を備えることを特徴とするカメラ本体。
【請求項８】
請求項７に記載のカメラ本体において、
前記焦点検出手段は、焦点検出信号としてデフォーカス量を出力し、
前記第１の閾値と前記第２の閾値とは、同一の値であり、
前記第１の合焦表示と前記第２の合焦表示は、同一の表示態様であることを特徴とするカメラ本体。
【請求項９】
請求項８に記載のカメラ本体において、
装着された交換レンズによる被写体像を撮像し、撮像画像データを出力する撮像手段を更に備え、
前記表示手段は、前記撮像手段の撮像画像データに基づき撮影画像を表示すると共に、前記第１及び第２の合焦表示として前記撮影画像に重畳して実線の枠を表示すると共に前記第３の合焦表示として前記撮影画像に重畳して破線の枠を表示することを特徴とするカメラ本体。
【請求項１０】
マウント部を有するカメラ本体と、前記カメラ本体のマウント部に結合可能なマウント部を有し、前記カメラ本体に装着可能な第１の交換レンズと、前記カメラ本体のマウント部に結合可能な第１のマウント部と第２のマウント部とを有するマウントアダプタと、前記マウントの第２のマウント部に結合可能なマウント部を有し、前記マウントアダプタを介して前記カメラ本体に装着可能な第２の交換レンズとを備えるカメラシステムであって、
前記カメラ本体は、
装着された交換レンズの焦点調節状態を検出して、焦点検出信号を出力する焦点検出手段と、
前記焦点検出手段の焦点検出信号が第１の閾値以内であるか否か、前記焦点検出手段の焦点検出信号が第２の閾値以内であるか否か、前記焦点検出手段の焦点検出信号が前記第２の閾値よりも大きい第３の閾値以内であるか否かを判定する第１の判定手段と、
表示手段と、
前記第１の交換レンズが装着されたのか、前記マウントアダプタを介して前記第２の交換レンズが装着されたのかを判定する第２の判定手段と、
前記第２の判定手段によって前記第１の交換レンズが装着されたと判定された場合に、前記第１の判定手段によって前記焦点検出手段の焦点検出信号が第１の閾値以内であると判定された時に前記表示手段に第１の合焦表示を行わせ、前記第２の判定手段によって前記マウントアダプタを介して前記第２の交換レンズが装着されたと判定された場合に、前記第１の判定手段によって前記焦点検出手段の焦点検出信号が第２の閾値以内であると判定された時に前記表示手段に第２の合焦表示を行わせると共に前記第１の判定手段によって前記焦点検出手段の焦点検出信号が第３の閾値以内であると判定された時に前記表示手段に第３の合焦表示を行わせる表示制御手段と、を備えることを特徴とするカメラシステム。
【発明の詳細な説明】
【技術分野】
【０００１】
本発明は、カメラ本体およびカメラシステムに関する。
【背景技術】
【０００２】
従来、カメラ本体（カメラボディ）に交換レンズを装着したカメラシステムでは、装着した交換レンズの種類によらず焦点検出エリアを一様な表示態様で表示している（たとえば、特許文献１）。
【先行技術文献】
【特許文献】
【０００３】
【特許文献１】特開２００８-０８５５３５号公報
【発明の概要】
【発明が解決しようとする課題】
【０００４】
本発明の課題は、好適な撮影が可能なカメラ本体およびカメラシステムを提供することである。
【課題を解決するための手段】
【０００５】
請求項１に係る発明は、第１交換レンズ、及び、第１交換レンズとは異なる第２交換レンズを取付け可能なアダプタを着脱可能なマウント部と、焦点調節状態が第１閾値以内であるときに第１信号を出力可能であり、焦点調節状態が第１閾値外であり、かつ、第２閾値以内であるときに第２信号を出力可能な焦点調節制御部と、焦点調節制御部から第１信号が出力されたとき第１態様の表示を行い、焦点調節制御部から第２信号が出力されたとき第１態様とは異なる第２態様の表示を行う表示部とを含むことを特徴とするカメラ本体である。
請求項４に係る発明は、第１交換レンズ、及び、第１交換レンズとは異なる第２交換レンズを取付け可能なアダプタを着脱可能なマウント部と、マウント部に第１交換レンズが取付けられたか、マウント部にアダプタが取付けられたかを判断可能な判断部と、位相差ＡＦにより焦点調節状態を検出可能な焦点検出部と、焦点検出部の検出結果に応じて焦点調節制御を行う制御部とを含み、制御部は、判断部によりマウント部にアダプタが取付けられたと判断されたとき、マウント部に第１交換レンズが取付けられたと判断されたときよりも焦点検出部の検出範囲を広げることを特徴とするカメラ本体である。
請求項７に係る発明は、交換レンズが着脱可能に結合可能なマウント部を有するカメラ本体であって、装着された交換レンズの焦点調節状態を検出して、焦点検出信号を出力する焦点検出手段と、焦点検出手段の焦点検出信号が第１の閾値以内であるか否か、焦点検出手段の焦点検出信号が第２の閾値以内であるか否か、焦点検出手段の焦点検出信号が第２の閾値よりも大きい第３の閾値以内であるか否かを判定する判定手段と、表示手段と、第１の交換レンズが直接にマウント部に結合された場合に、判定手段によって焦点検出手段の焦点検出信号が第１の閾値以内であると判定された時に表示手段に第１の合焦表示を行わせ、マウントアダプタを介して第２の交換レンズがマウント部に結合された場合に、判定手段によって焦点検出手段の焦点検出信号が第２の閾値以内であると判定された時に表示手段に第２の合焦表示を行わせると共に判定手段によって焦点検出手段の焦点検出信号が第３の閾値以内であると判定された時に表示手段に第３の合焦表示を行わせる表示制御手段と、を備えることを特徴とするカメラ本体である。
請求項１０に係る発明は、マウント部を有するカメラ本体と、カメラ本体のマウント部に結合可能なマウント部を有し、カメラ本体に装着可能な第１の交換レンズと、カメラ本体のマウント部に結合可能な第１のマウント部と第２のマウント部とを有するマウントアダプタと、マウントの第２のマウント部に結合可能なマウント部を有し、マウントアダプタを介してカメラ本体に装着可能な第２の交換レンズとを備えるカメラシステムであって、カメラ本体は、装着された交換レンズの焦点調節状態を検出して、焦点検出信号を出力する焦点検出手段と、焦点検出手段の焦点検出信号が第１の閾値以内であるか否か、焦点検出手段の焦点検出信号が第２の閾値以内であるか否か、焦点検出手段の焦点検出信号が第２の閾値よりも大きい第３の閾値以内であるか否かを判定する第１の判定手段と、表示手段と、第１の交換レンズが装着されたのか、マウントアダプタを介して第２の交換レンズが装着されたのかを判定する第２の判定手段と、第２の判定手段によって第１の交換レンズが装着されたと判定された場合に、第１の判定手段によって焦点検出手段の焦点検出信号が第１の閾値以内であると判定された時に表示手段に第１の合焦表示を行わせ、第２の判定手段によってマウントアダプタを介して第２の交換レンズが装着されたと判定された場合に、第１の判定手段によって焦点検出手段の焦点検出信号が第２の閾値以内であると判定された時に表示手段に第２の合焦表示を行わせると共に第１の判定手段によって焦点検出手段の焦点検出信号が第３の閾値以内であると判定された時に表示手段に第３の合焦表示を行わせる表示制御手段と、を備えることを特徴とするカメラシステムである。
【発明の効果】
【０００６】
本発明によれば、好適な撮影が可能なカメラ本体およびカメラシステムを提供することができる。
【図面の簡単な説明】
【０００７】
【図１】本発明の第１の実施の形態に係るカメラシステムの概略を示すブロック図である。
【図２】Ｄタイプの撮影レンズ（交換レンズ）とＹタイプのカメラボディとからなるカメラシステムの構成を示すブロック図である。
【図３】撮像素子の正面図である。
【図４】Ｄタイプの撮影レンズ（交換レンズ）と中間アダプタとＹタイプのカメラボディとからなるカメラシステムの構成を示すブロック図である。
【図５】Ｙボディ制御部の機能ブロック図である。
【図６】合焦表示に関する図である。
【図７】合焦表示処理のフローチャートである。
【発明を実施するための形態】
【０００８】
（第１の実施の形態）
図１は、本発明の第１の実施の形態に係るカメラシステムの概略を示すブロック図である。このカメラシステムはレンズ交換式であり、Ｘタイプのカメラボディ１０１とＹタイプのカメラボディ１０２とが含まれる。Ｘタイプのカメラボディ１０１には、Ａタイプの撮影レンズ（交換レンズ）２０１が着脱可能である。また、Ｙタイプのカメラボディ１０２には、Ｄタイプの撮影レンズ（交換レンズ）２０４が着脱可能である。
【０００９】
本カメラシステムには更に、中間アダプタ３０１が含まれている。この中間アダプタ３０１は、Ｘタイプのカメラボディ１０１に適合する撮影レンズ（Ａタイプの撮影レンズ２０１）をＹタイプのカメラボディ１０２に取り付けるためのものである。例えばＸタイプのカメラボディ１０１およびＡタイプの撮影レンズ２０１を所有していたユーザが、新たにＹタイプのカメラボディ１０２を購入したとき、中間アダプタ３０１を用いることにより、これまで利用していたＡタイプの撮影レンズ２０１をＹタイプのカメラボディ１０２において引き続き利用することが可能になる。以下、これらの各構成要素について順に説明する。
【００１０】
なお、以下の説明において、図１に示したＸタイプのカメラボディ１０１を、Ｘボディ１０１と表記する。同様に、Ｙタイプのカメラボディ１０２をＹボディ１０２、Ａタイプの撮影レンズ２０１をＡレンズ２０１、Ｄタイプの撮影レンズ２０４をＤレンズ２０４とそれぞれ表記する。
【００１１】
（Ｄレンズ２０４とＹボディ１０２とを備えるカメラシステムの説明）
図２は、Ｄレンズ２０４とＹボディ１０２とを備えるカメラシステムの構成を示すブロック図である。なお、図２では本発明の説明に必要な部材のみを図示しており、それ以外の部材については図示および説明を省略する。以下の各図についても同様である。
【００１２】
Ｄレンズ２０４は、レンズ側マウント部８３により、Ｙボディ１０２のボディ側マウント部８４に着脱可能に装着される。Ｄレンズ２０４は、Ｄレンズ制御部１３と、フォーカス駆動部１４と、フォーカシングレンズ１５と、ＹＬタイプ通信接点群１７とを有する。
【００１３】
Ｄレンズ制御部１３は、ＹＬタイプ通信接点群１７を介してＹボディ１０２内のＹボディ制御部３０とデータ通信を行う。例えば、Ｄレンズ制御部１３はＹボディ制御部３０から焦点検出信号を受信すると共に、フォーカシングレンズ１５の位置情報をＹボディ制御部３０へ送信する。
【００１４】
フォーカス駆動部１４は、リニアステッピングモータであり、Ｄレンズ制御部１３の制御に基づいて、フォーカシングレンズ１５をＤレンズ２０４の光軸方向に駆動する。Ｄレンズ制御部１３は、Ｙボディ制御部３０から受信した焦点検出信号に基づいて、フォーカス駆動部１４を制御してフォーカシングレンズ１５を合焦位置に移動させる。
【００１５】
Ｙボディ１０２はカメラボディ全体を制御するＹボディ制御部３０と、撮像素子３６と、ＹＢタイプ通信接点群３７と、表示部３９とを有する。Ｙボディ制御部３０はマイクロプロセッサおよびその周辺回路から成り、不図示の記憶媒体に記憶されている所定の制御プログラムを読み込んで実行することにより、Ｙボディ１０２の各部を制御する。なお、Ｙボディ制御部３０を、同様の制御を行う電子回路として構成することも可能である。
【００１６】
図３は撮像素子３６の正面図である。撮像素子３６は、その撮像画面上に位相差焦点検出エリアを有しており、図３はその焦点検出エリア近傍を拡大したものである。撮像素子３６は、撮像画素３１０と焦点検出画素３１２および３１３から構成される。なお、この焦点検出エリアは撮像画面の内の中心位置を含めて複数の位置に設けられている。
【００１７】
撮像画素３１０は、マイクロレンズと、光電変換部と、赤（Ｒ）、緑（Ｇ）、または青（Ｂ）の色フィルタとを備えており、画像信号を出力する。Ｙボディ制御部３０は、撮像画素３１０から出力される画像信号を、画像処理と、コントラス焦点検出とに用いる。
【００１８】
焦点検出画素３１２および３１３は、マイクロレンズと光電変換部とを備え、焦点検出エリアに交互に配列されている。Ｙボディ制御部３０は、焦点検出画素３１２および３１３の出力信号を、瞳分割位相差検出に用いる。
【００１９】
ＹＢタイプ通信接点群３７は、ボディ側マウント部８４の近傍に設けられた複数の電気接点である。Ｙボディ制御部３０は、ＹＢタイプ通信接点群３７を介して、Ｙボディ１０２に装着されたＤレンズ２０４への電力供給と、Ｄレンズ２０４のＤレンズ制御部１３とのデータ通信とを行う。
【００２０】
表示部３９は、例えばＹボディ１０２の背面にある液晶ディスプレイ又は、電子ビューファインダである。また、表示部３９は、Ｙボディ制御部３０の指示に従ってメニュー画面なども表示される。
【００２１】
（Ｙボディ１０２とＡレンズ２０１と中間アダプタ３０１とを備えるカメラシステムの説明）
図４は、Ａレンズ２０１を、中間アダプタ３０１を介してＹボディ１０２に接続したカメラシステムの構成を示すブロック図である。
【００２２】
Ａレンズ２０１は、レンズ側マウント部８１により、中間アダプタ３０１の第１マウント部８５に着脱可能に装着される。Ａレンズ２０１は、Ａレンズ制御部１０と、フォーカス駆動部１１と、フォーカシングレンズ１２と、ＸＬタイプ通信接点群１６とを有する。
【００２３】
フォーカス駆動部１１は、リニアステッピングモータであり、Ａレンズ制御部１０の制御に基づいて、フォーカシングレンズ１２を光軸方向に駆動する。Ａレンズ制御部１０は、ＸＬタイプ通信接点群１６を介して受信した焦点検出信号に基づいて、フォーカス駆動部１４を制御してフォーカシングレンズ１５を合焦位置に移動させる。
【００２４】
中間アダプタ３０１は、第１マウント部８５と第２マウント部８６とを備える。第１マウント部８５にはレンズ側マウント部８１を介してＡレンズ２０１が着脱可能に装着される。第２マウント部８６にはボディ側マウント部８４を介してＹボディ１０２が着脱可能に装着される。
【００２５】
中間アダプタ３０１は、ＹＬタイプ通信接点群１７とＸＢタイプ通信接点群２６とアダプタ制御部４０とを備える。ＹＬタイプ通信接点群１７は、第２マウント部８６の近傍に設けられた複数の電気接点であり、Ｙボディ１０２のＹＢタイプ通信接点群３７と接続する。ＸＢタイプ通信接点群２６は、第１マウント部８５の近傍に設けられた複数の電気接点であり、Ａレンズ２０１のＸＬタイプ通信接点群１６と接続する。
【００２６】
Ｙボディ１０２のＹボディ制御部３０が実行するデータ通信と、Ａレンズ２０１のＡレンズ制御部１０が実行するデータ通信とは、通信プロトコルが異なる。アダプタ制御部４０は、Ｙボディ１０２が送信した制御信号やデータ信号をＡレンズ２０１向けの信号に変換することによりデータ通信を中継する。また、Ａレンズ２０１が送信した制御信号やデータ信号をＹボディ１０２向けの信号に変換することによりデータ通信を中継する。
【００２７】
Ｙボディ１０２のＹボディ制御部３０は、ボディ側マウント部８４にＤレンズ２０４や中間アダプタ３０１などが接続されたら、ＹＢタイプ通信接点群３７を介して所定の接続確認信号を送信する。Ｙボディ１０２のボディ側マウント部８４に中間アダプタ３０１が接続されている場合、中間アダプタ３０１がＹＬタイプ通信接点群１７を介して接続確認信号を受信する。接続確認信号を受信したアダプタ制御部４０は、ＹＬタイプ通信接点群１７を介して接続確認信号に対する所定の第１応答信号を送信する。第１応答信号を受信したＹボディ制御部３０は、ボディ側マウント部８４に接続されたものが中間アダプタ３０１であると認識する。また、Ｄレンズ２０４のＤレンズ制御部１３も、接続確認信号を受信したら、Ｄレンズ２０４のＹＬタイプ通信接点群１７を介して所定の第２応答信号を送信する。第２応答信号を受信したＹボディ制御部３０は、ボディ側マウント部８４に接続されたものがＤレンズ２０４であると認識する。
【００２８】
（Ｙボディ制御部３０の機能の説明）
図５は、Ｙボディ制御部３０の機能ブロック図である。Ｙボディ制御部３０は、画像処理部３６１と表示制御部３６６とＡＦ制御部７１０とを有する。ＡＦ制御部７１０は、位相差検出式焦点検出部３６２と第１焦点検出信号判定部３６３とコントラスト式焦点検出部３６４と第２焦点検出信号判定部３６５と装着機器判定部３６７とを有する。なお、図５に図示した機能は、Ｙボディ制御部３０の機能の一部であり、図５に図示されていない処理も各種存在する。
【００２９】
画像処理部３６１は、撮像素子３６の撮像画素３１０から出力される画像信号に基づいて画像データを生成する。画像処理部３６１は、生成した画像データを不図示の記録媒体や表示部３９に出力する。
【００３０】
位相差検出式焦点検出部３６２は、撮影レンズの射出瞳の一対の領域を通過した一対の光束をそれぞれ受光する焦点検出画素３１２および３１３の出力信号に基づいてデフォーカス量を算出し、算出したデフォーカス量を焦点検出信号として第１焦点検出信号判定部３６３やＹＢタイプ通信接点群３７へ出力する。
【００３１】
第１焦点検出信号判定部３６３は、位相差検出式焦点検出部３６２が算出したデフォーカス量が所定の閾値よりも大きいか否かを判定する。第１焦点検出信号判定部３６３が利用する閾値には、第１閾値と第２閾値と第３閾値とが存在する。第１閾値は第２閾値と同一かそれよりもわずかに小さく定められ、第３閾値は第２閾値よりも大きく定められている。
【００３２】
第１焦点検出信号判定部３６３は、第１〜第３閾値のいずれを利用して判定するかを、ボディ側マウント部８４に接続された機器に基づいて選択する。第１焦点検出信号判定部３６３は、装着機器判定部３６７の判定結果に基づいて以下の（１）および（２）の判定を行う。
（１）ボディ側マウント部８４にＤレンズ２０４が接続されているときは、デフォーカス量が第１閾値以内であるか否かを判定する。デフォーカス量が第１閾値以内とはフォーカシングレンズ１５が第１の合焦範囲内（第５の実施の形態の合焦幅Ｄ参照）に位置していることを示す。
（２）ボディ側マウント部８４に中間アダプタ３０１が接続されている、すなわち中間アダプタ３０１を介してＡレンズ２０１が接続されているときは、デフォーカス量が第２閾値（例えば、第１閾値＝第２閾値である）以内であるか否かと、デフォーカス量が第３閾値以内であるか否かを判定する。なお、デフォーカス量が第２閾値以内とはフォーカシングレンズ１２が第２の合焦範囲内に位置していることを示す。第２の合焦範囲は第１の合焦範囲と同一またはわずかに狭い範囲に定められる。また、デフォーカス量が第３閾値以内とはフォーカシングレンズ１２が第３の合焦範囲内に位置していることを示す。第３の合焦範囲は、第２の合焦範囲よりも広い範囲に定められる。
【００３３】
コントラスト式焦点検出部３６４は、撮像素子３６の撮像画素３１０から出力される画像信号に基づいてコントラスト検出方式における評価値を算出する。評価値は、コントラストの大小を表している。コントラスト式焦点検出部３６４は、評価値がピークとなったフォーカシングレンズ１２または１５の位置（合焦位置）を算出して焦点検出信号をＹＢタイプ通信接点群３７へ出力する。
【００３４】
第２焦点検出信号判定部３６５は、コントラスト式焦点検出部３６４から出力される焦点検出信号が所定の合焦範囲内であることを示しているか否かを判定する。
【００３５】
表示制御部３６６は、表示部３９を制御する。表示制御部３６６は、画像処理部３６１が画像処理した撮像画像を表示部３９に表示する。また、表示制御部３６６は、第１焦点検出信号判定部３６３や第２焦点検出信号判定部３６５の判定結果に基づいて、合焦マークを表示部３９が表示する撮像画像に重畳して表示する。
【００３６】
装着機器判定部３６７は、ボディ側マウント部８４に接続された光学機器を判定する。装着機器判定部３６７は、ボディ側マウント部８４にＤレンズ２０４が接続されたのか、それとも中間アダプタ３０１が接続された（即ち中間アダプタ３０１を介してＡレンズ２０１が接続された）のかを判定する。具体的には、装着機器判定部３６７は、ＹＢタイプ通信接点群３７を介して第１応答信号を受信した場合は中間アダプタ３０１が接続されたと判定し、第２応答信号を受信した場合はＤレンズ２０４が接続されたと判定する。更に、装着機器判定部３６７は、ボディ側マウント部８４に中間アダプタ３０１が接続されたことを判定した場合に、コントラスト式焦点検出部３６４の動作を停止させる。このように、中間アダプタ３０１がＹボディ１０２に装着された場合にはＹボディ１０２は、位相差検出式焦点検出部３６２が動作可能であり、コントラスト式焦点検出部３６４が動作停止となる。
【００３７】
図６は、表示制御部３６６が表示部３９の撮像画像に重畳する合焦表示を説明するための図である。表示制御部３６６は、装着機器判定部３６７の判定結果と第１焦点検出信号判定部３６３と第２焦点検出信号判定部３６５とに基づいて、合焦した焦点検出エリアの表示態様を選択する。
【００３８】
図６（ａ）は、表示部３９による合焦表示マーク３９１を示すものである。この合焦表示マーク３９１は、実線で示した矩形枠の形状であり、表示部３９に表示されたスルー画像すなわちライブビュー画像に重畳するように表示画面の中央部に表示される。なお、合焦表示マーク３９１は、表示画面内の中央に位置する焦点検出エリアを示す矩形枠として表示してもよい。この合焦表示マーク３９１は、（１）第１焦点検出信号判定部３６３によって位相差検出式焦点検出部３６２のデフォーカス量が第１閾値以内または第２閾値以内と判定されたときや、（２）第２焦点検出信号判定部３６５によってコントラスト式焦点検出部３６４の焦点検出信号が合焦範囲にあると判定されたときなどに合焦表示を行う。
【００３９】
図６（ｂ）は、表示部３９による合焦表示マーク３９２を示すものである。この合焦表示マーク３９２は、破線で示した矩形枠の形状であり、表示部３９に表示されたスルー画像すなわちライブビュー画像に重畳するように表示画面の中央部に表示される。なお、合焦表示マーク３９２は、表示画面内の中央に位置する焦点検出エリアを示す矩形枠として表示してもよい。この合焦表示マーク３９２は、第１焦点検出信号判定部３６３によって位相差検出式焦点検出部３６２のデフォーカス量が第３閾値以内であるが第２閾値以内ではないと判定されたときに合焦表示を行う。
【００４０】
図７は、Ｙボディ制御部３０が位相差検出式焦点検出部３６２のデフォーカス量に基づき実行する合焦表示処理のフローチャートの一例である。
【００４１】
ステップＳ１００では、Ｙボディ制御部３０は、装着機器判定部３６７の判定結果に基づいて、撮影レンズ（Ａレンズ２０１）が中間アダプタ３０１を介してＹボディ１０２に装着されているか否（すなわち、Ｄレンズ２０４が装着されている）かを判定する。ボディ側マウント部８４に中間アダプタ３０１が接続されていると装着機器判定部３６７が判定した場合はステップＳ２００に進み、ボディ側マウント部８４にＤレンズ２０４が接続されていると判定した場合はステップＳ３００に進む。
【００４２】
ステップＳ２００では、Ｙボディ制御部３０は、位相差検出式焦点検出部３６２により算出されたデフォーカス量が第３閾値以内か否かを判定する。位相差検出式焦点検出部３６２により算出されたデフォーカス量が第３閾値以内であると第１焦点検出信号判定部３６３が判定した場合はステップＳ４００に進み、位相差検出式焦点検出部３６２により算出されたデフォーカス量が第３閾値以内にないと第１焦点検出信号判定部３６３が判定した場合は図７の処理を終了する。
【００４３】
ステップＳ３００では、Ｄレンズ２０４がＹボディ１０２に装着された場合において、Ｙボディ制御部３０は、位相差検出式焦点検出部３６２により算出されたデフォーカス量が第１閾値以内か否かを判定する。位相差検出式焦点検出部３６２により算出されたデフォーカス量が第１閾値以内であると第１焦点検出信号判定部３６３が判定した場合はステップＳ６００に進み、位相差検出式焦点検出部３６２により算出されたデフォーカス量が第１閾値以内にないと第１焦点検出信号判定部３６３が判定した場合は図７の処理を終了する。
【００４４】
ステップＳ４００では、Ｙボディ制御部３０は、位相差検出式焦点検出部３６２により算出されたデフォーカス量が第２閾値以内か否かを判定する。位相差検出式焦点検出部３６２により算出されたデフォーカス量が第２閾値以内であると第１焦点検出信号判定部３６３が判定した場合はステップＳ６００に進み、位相差検出式焦点検出部３６２により算出されたデフォーカス量が第２閾値以内にないと第１焦点検出信号判定部３６３が判定した場合はステップＳ５００に進む。
【００４５】
ステップＳ５００では、Ｙボディ制御部３０は、合焦した焦点検出エリアを図６（ｂ）に示すように合焦表示マーク３９２を表示する。ステップＳ６００では、Ｙボディ制御部３０は、合焦した焦点検出エリアを図６（ａ）に示すように合焦表示マーク３９１を表示する。
【００４６】
次に、中間アダプタ３０１を介してＹボディ１０２にＡレンズ２０１を装着した場合に、位相差検出式焦点検出部３６２のデフォーカス量に基づき、合焦表示マーク３９１と合焦表示マーク３９２とを表示する必要性について、以下に説明する。Ｙボディ１０２は、Ｄレンズ２０４が装着された場合に最良の焦点調節動作を実行することができる。しかしながら、Ｙボディ１０２は、Ａレンズ２０１が装着された場合には、Ｄレンズ２０４の装着時に比べて焦点調節性能が低下することがある。例えば、Ｙボディ１０２は、Ａレンズ２０１が装着された場合に、狭い第１の合焦範囲内に焦点調節するためには、Ｄレンズ２０４の装着時に比べて長い焦点調節時間を要することがある。そこで、第１の合焦範囲よりも多少広く、かつ実質的に鮮明な被写体像を得ることができる第２の合焦範囲を設定して、Ａレンズ２０１のフォーカスレンズがこの第２の合焦範囲内に入った時に合焦表示マーク３９２を表示して、迅速な合焦を可能とするものである。
【００４７】
上述した第１の実施の形態によれば、次の作用効果が得られる。
Ｙボディ１０２は、Ｄレンズ２０４などの撮影レンズが着脱可能に結合可能なボディ側マウント部８４を有する。Ｙボディ１０２のＹボディ制御部３０は、位相差検出式焦点検出部３６２やコントラスト式焦点検出部３６４を有し、ボディ側マウント部８４に装着されたＤレンズ２０４やＡレンズ２０１などの交換レンズの焦点調節状態を検出する。Ｙボディ１０２のＹボディ制御部３０は、第１焦点検出信号判定部３６３を有し、位相差検出式焦点検出部３６２により算出されたデフォーカス量が第１閾値以内であるか否か、第２閾値以内であるか否か、第２閾値よりも大きい第３閾値以内であるか否かを判定する。Ｙボディ１０２は、表示部３９を備える。Ｄレンズ２０４が直接にボディ側マウント部８４に結合された場合に、第１焦点検出信号判定部３６３によって位相差検出式焦点検出部３６２が算出したデフォーカス量が第１閾値以内であると判定された時に表示部３９に実線の枠である合焦表示マーク３９１を表示させ、中間アダプタ３０１を介してＡレンズ２０１がボディ側マウント部８４に結合された場合に、第１焦点検出信号判定部３６３によって位相差検出式焦点検出部３６２が算出したデフォーカス量が第２閾値以内であると判定された時に表示部３９に合焦表示マーク３９１を表示させると共に第１焦点検出信号判定部３６３によって位相差検出式焦点検出部３６２が算出したデフォーカス量が第３閾値以内であると判定された時に表示部３９に合焦表示マーク３９２を表示させる。このようにすることで、種々のレンズタイプに適した制御を行うことができる。
【００４８】
（第２の実施の形態）
本実施形態において、上述した第１の実施の形態と同様の構成には同様の用語又は符号を付し詳細な説明は省略する。
【００４９】
本実施形態において、カメラボディ（Ｙボディ１０２）は、Ｄレンズ２０４（例えば、レンズ交換式の一眼ミラーレスタイプのカメラ専用レンズ。Ｄレンズ２０４のマウントをＤタイプマウントと称する）、及び、中間アダプタ３０１をそれぞれ着脱可能である。
【００５０】
中間アダプタ３０１は、Ａレンズ２０１（例えば、レンズ交換式の一眼レフカメラ専用レンズ。Ａレンズ２０１のマウントをＡタイプマウントと称する）を着脱可能である。Ａレンズ２０１は、Ｄレンズ２０４よりもＡＦ駆動制御の制御性（例えば、分解能（例えば１パルス当たりどれだけレンズが移動するか）、停止精度など）が悪い場合がある。また、Ａレンズ２０１には、Ｄレンズ２０４よりも像面移動量が大きいレンズがある。
【００５１】
カメラボディ（Ｙボディ１０２）のＡＦ制御部７１０は、中間アダプタ３０１が装着されているか、Ｄレンズ２０４が装着されているかについて判断可能である。
【００５２】
ＡＦ制御部７１０は、Ｄレンズ２０４が装着されていると判断したときには、位相差ＡＦ及びコントラストＡＦを用いて焦点調節制御が可能である。例えば、焦点検出時には、位相差ＡＦによる検出及びコントラストＡＦによる検出を同時に行い、速く検出できたＡＦを用いてピント位置にＡＦ光学系を駆動する。このため、焦点調節に要する時間を最小限に低減することが可能となる。
【００５３】
また、位相差ＡＦの検出範囲が狭く位相差ＡＦによりピント位置を検出できなくても、位相差ＡＦとは異なる方式のコントラストＡＦを用いてピント位置を検出できる場合があるので、位相差ＡＦのみを用いる場合と比較して、ピント位置を検出できる可能性が高くなる。
【００５４】
更に、位相差ＡＦの合焦判定の基準となる閾値を高く（信頼性が高くなるような厳しい閾値）することにより、偽合焦となるおそれを低減できる。
【００５５】
一方、ＡＦ制御部７１０は、中間アダプタ３０１が装着されていると判断したときには、位相差ＡＦを用いて（コントラストＡＦを使用禁止にして）焦点調節制御を行なう。このとき、ＡＦ制御部７１０は、Ｄレンズ２０４が装着されているときよりも位相差ＡＦの検出範囲を広げる。位相差ＡＦの検出範囲を広げるとは、例えば、低コントラストでも位相差ＡＦで検出できるようにすること、位相差ＡＦの合焦判定の基準となる閾値を低くすること等をいう。
【００５６】
本実施形態において、ＡＦ制御部７１０はアダプタ３０１が装着されていると判断したときには、位相差ＡＦのみを用い、かつ、位相差ＡＦの検出範囲を広げる。このため、コントラストＡＦが使えない場合でも、位相差ＡＦだけで好適なピント位置の検出が可能となる。
【００５７】
また、本実施形態のカメラボディは、アダプタ３０１が装着されているか、Ｄレンズ２０４が装着されているかに応じて、検出範囲を変化させて、どちらが装着されていたときでも好適なＡＦが可能となる。
【００５８】
（第３の実施の形態）
本実施形態において、上述した第１および第２の実施の形態と同様の構成には同様の用語又は符号を付し詳細な説明は省略する。
【００５９】
本実施形態において、カメラボディのＡＦ制御部７１０は、中間アダプタ３０１を介してＡレンズ２０１を装着したときは、Ｄレンズ２０４を装着したときよりも、スキャン速度を速くする。
【００６０】
本実施形態において、ＡＦ制御部７１０は、Ａレンズ２０１が装着されたときは、Ｄレンズ２０４が装着されたときよりも、スキャン速度を速くするので、Ｄレンズ２０４と比較して像面移動量が大きいＡレンズ２０１が装着された場合でも、焦点調節に要する時間を最小限に低減することが可能となり、撮影者の操作感を向上させることができる。
【００６１】
また、本実施形態において、カメラボディのＡＦ制御部７１０は、中間アダプタ３０１を介してＡレンズ２０１を装着したときは、Ｄレンズ２０４を装着したときよりも、画素加算数を少なくする。
【００６２】
本実施形態においては、Ａレンズ２０１が装着されたときは、Ｄレンズ２０４が装着されたときよりも、スキャン速度を速くするので、ある時刻（ｔ１）におけるＡＦレンズ位置（ｘ１）と、時刻（ｔ１）よりも後の時刻（ｔ２）におけるＡＦレンズ位置（ｘ２）との変位が大きくなる。このため、時刻（ｔ１）で取得したＡＦセンサ出力（α１）と、時刻（ｔ２）で取得したＡＦセンサ出力（α２）とを加算することが妥当でなくなるからである。
【００６３】
また、本実施の形態のＡＦ制御部７１０は、中間アダプタ３０１が装着されているか、Ｄレンズ２０４が装着されているかに応じて、好適な数の画素加算を行なうから、ＡＦの信頼性を維持しつつ、暗い環境でも好適なＡＦが可能となる。
【００６４】
（第４の実施の形態）
本実施形態において、上述した第１乃至第３の実施の形態と同様の構成には同様の用語又は符号を付し詳細な説明は省略する。
【００６５】
本実施形態において、Ａレンズ２０１は、Ａ規格の送受信信号でＡ規格のカメラボディ（Ｘボディ１０１）と通信可能である。Ａ規格の送受信信号には、Ａ規格ＡＦレンズ位置情報が含まれる。Ａ規格ＡＦレンズ位置情報は、相対位置（現在のＡＦレンズ位置からどれだけ駆動させるか）で規定されている。
【００６６】
Ｄレンズ２０４は、Ｂ規格の送受信信号でＢ規格のカメラボディ（Ｙボディ１０２）と通信可能である。Ｂ規格ＡＦレンズ位置情報は、絶対位置（例えば、レンズの可動範囲の端点からどれだけ駆動させるか、レンズのメカ的な端点からどれだけ駆動させるか）で規定されている。
【００６７】
本実施形態のカメラボディは、Ｂ規格のカメラボディ（Ｙボディ１０２）である。本実施形態のカメラボディのＡＦ制御部７１０は、Ｄレンズ２０４、又は、中間アダプタ３０１と通信可能であり、Ｄレンズ２０４が装着されているか、中間アダプタ３０１が装着されているかを判断可能である。
【００６８】
本実施形態のＡＦ制御部７１０は、Ｄレンズ２０４が装着されていると判断したときには、Ｂ規格の送受信信号でＤレンズ２０４と通信し、中間アダプタ３０１が装着されていると判断したときには、Ａ規格の送受信信号で中間アダプタ３０１を介して装着されたＡレンズ２０１と通信する機能を有している。
【００６９】
本実施形態のＡＦ制御部７１０は、Ｄレンズ２０４が装着されているか、中間アダプタ３０１が装着されているかの判断結果に応じて通信方法を変更するので、Ｄレンズ２０４が装着されているときでも、中間アダプタ３０１を介してＡレンズ２０１が装着されているときでも、好適なＡＦ制御が可能である。
【００７０】
（第５の実施の形態）
本実施形態において、上述した第１乃至第４の実施の形態と同様の構成には同様の用語又は符号を付し詳細な説明は省略する。
【００７１】
本実施形態のＡＦ制御部７１０は、中間アダプタ３０１が装着されていると判断した場合には、Ｄレンズ２０４が装着されているときと判断した場合よりも、絞りを絞ったＰ線図を使用可能である。
【００７２】
中間アダプタ３０１が装着されていると判断したときに、ＡＦ制御部７１０が自動的に絞りを絞ったＰ線図に変更するものであってもよい。例えば、フォーカスモードがＡＦモード、かつＰモードの場合は、焦点深度優先のアダプタ用Ｐモード（絞りを絞ったＰ線図）となるようにしても良い。
【００７３】
また、中間アダプタ３０１を装着した場合に撮影者が選択できるように選択メニューにＰ線図変更メニューを用意しておき、撮影者がＰ線図変更メニューを選択したときに絞りを絞ったＰ線図に変更するものであってもよい。
【００７４】
本実施形態では、絞りを絞ったＰ線図に変更することにより焦点深度を拡大することができる。このため、例えば、中間アダプタ３０１を介して装着されたＡレンズ２０１の制御性（例えば、分解能（例えば１パルス当たりどれだけレンズが移動するか）、停止精度等）がＤレンズ２０４よりも悪い場合であっても、Ａレンズ２０１使用時に、Ｄレンズ２０４使用時と比べてピントが甘くなるおそれを低減できる。
【００７５】
例えば、中間アダプタ３０１を介して装着されたＡレンズ２０１を用いて、絞り優先モード、シャッタスピード優先モード等で撮影する際に、絞り開放付近でピントが甘くなる場合であっても、Ｄレンズ２０４使用時と比べてピントが甘くなるおそれを低減できる。
【００７６】
Ｄタイプマウントの合焦幅（以下、合焦幅Ｄと称する）は、Ａタイプマウントの合焦幅（以下、合焦幅Ａと称する）よりも狭い。Ａレンズ２０１は、合焦幅Ｄの範囲内でレンズを停止する精度を持っていない場合がある。中間アダプタ３０１を介してＡレンズ２０１が装着されているとき、フォーカスレンズを合焦幅Ｄの範囲内で停止させることができず、フォーカスレンズが合焦幅Ｄを超えた範囲内で停止する場合がある。この場合でも、絞りを絞ったＰ線図に変更することにより焦点深度が深くなることによりボケ量を低減できる。
【００７７】
本実施形態においては、ＡＦ制御部７１０は、合焦幅Ｄの範囲では実線で合焦マークを表示し、合焦幅Ｄを超えた所定の範囲では、破線の合焦マークを表示する（第１の実施の形態参照）。フォーカスレンズを合焦幅Ｄの範囲内で停止させることができず、フォーカスレンズが合焦幅Ｄを超えた所定の範囲内で停止したときでも、中間アダプタ３０１使用時はレリーズを許可するので、ピントが甘くなるおそれがある。しかし、この場合、撮影者は、破線表示によりピントが甘くなるおそれを認識し得るから、撮影者が意図せずピントの甘い写真が撮影されるおそれが低減することになる。
【００７８】
（第６の実施の形態）
本実施形態において、上述した第１乃至第５の実施の形態と同様の構成には同様の用語又は符号を付し詳細な説明は省略する。
【００７９】
本実施形態において、カメラボディのＡＦ制御部７１０は、中間アダプタ３０１を介して装着されたＡレンズ２０１の種類に応じて、ＡＦ機能を変更する。
【００８０】
本実施形態のＡＦ制御部７１０は、中間アダプタ３０１から供給された信号に基づいて、中間アダプタ３０１を介して装着されたＡレンズ２０１の種類がＡＦ-Ｓレンズであるか（第１条件）、ＣＰＵレンズであるか（第２条件）、非ＣＰＵレンズ（第３条件）であるかを判断可能である。
【００８１】
中間アダプタ３０１を介して装着されたＡレンズ２０１の種類がＡＦ-Ｓレンズであると判断された場合（第１条件）、カメラボディは、レンズをＡＦ駆動制御可能である。フォーカスモードについては、ＡＦ-Ｓのみ可能であり、ＡＦ-Ａ、ＡＦ-Ｃ，ＡＦ-Ｆには対応しない。
【００８２】
ここで、ＡＦ−Ｓ（シングルＡＦサーボ）とは、シャッターボタンを半押しして一度ピントを合わせると、半押ししている間、ピントを固定しておくモードである。ＡＦ-Ｃ（コンティニュアスＡＦサーボ）とは、シャッターボタンを半押ししている間、ピント合わせを続けるモードである。ＡＦ−Ａ（ＡＦサーボモード自動切り換え）とは、ＡＦ−ＳとＡＦ−Ｃのふたつの機能をカメラが自動切り換えするモードである。ＡＦ−Ｆ（常時ＡＦサーボ）とは、被写体にピントを合わせつづけるモードである。
【００８３】
本実施形態のＡＦ制御部７１０は、Ａレンズ２０１の種類に応じて、ＡＦ機能を変更するので、Ａレンズ２０１の種類に応じて好適なＡＦ制御が可能である。
【００８４】
（第７の実施の形態）
本実施形態において、上述した第１乃至第６の実施の形態と同様の構成には同様の用語又は符号を付し詳細な説明は省略する。
【００８５】
本実施形態において、ＡＦ制御部７１０は、中間アダプタ３０１が装着されていると判断したとき、使用可能な焦点検出エリアの数を制限する。例えば、撮影画面内に５０個の焦点検出エリアがあった場合、中間アダプタ３０１が装着されていると判断したとき撮影画面内の中央近傍の１−５個の焦点検出エリアのみを使用可能とし、その他の焦点検出エリアを使用不可とする。
【００８６】
また、本実施形態において、ＡＦ制御部７１０は、中間アダプタ３０１が装着されていない（Ｄレンズ２０４が装着されている）と判断したとき、ＡＦセンサの出力をコマ収差などの補正をして焦点調節状態を演算する。一方、ＡＦ制御部７１０は、中間アダプタ３０１が装着されていると判断したとき、ＡＦセンサの出力を収差補正しないで焦点調節状態を演算する。
【００８７】
本実施形態では、中間アダプタ３０１が装着されていると判断される場合には、周縁部付近の焦点検出エリアが使用不可能になり中央付近の焦点検出エリアのみが使用可能になるので、収差補正をしなくても好適な焦点状態の検出が可能となる。
【００８８】
（第８の実施の形態）
本実施形態において、上述した第１乃至第７の実施の形態と同様の構成には同様の用語又は符号を付し詳細な説明は省略する。
【００８９】
本実施形態において、カメラボディの制御部は、中間アダプタ３０１を介して装着されたＡレンズ２０１の種類に応じて、ＡＥ機能を変更する。
【００９０】
本実施形態のカメラボディは、中間アダプタ３０１から供給された信号に基づいて、中間アダプタ３０１を介して装着されたＡレンズ２０１の種類がＡＦ-Ｓレンズ又はＣＰＵレンズであるか（第１条件）、非ＣＰＵレンズ（第２条件）であるかを判断可能である。
【００９１】
本実施形態のカメラボディは、ＣＰＵレンズが装着されている（第１条件）と判断した場合は、開放測光による、Ｐ／Ｓ／Ａ／Ｍ制御を可能にすることができる。また、ＣＰＵレンズが装着されている（第１条件）場合は、開放測光が可能であり、カメラボディより絞り設定が可能となる。
【００９２】
一方、非ＣＰＵレンズが装着されている（第２条件）と判断した場合は、絞込み測光が可能である。非ＣＰＵレンズが装着されている（第２条件）場合は、レンズ絞り環による実絞り設定が可能である。また、Ａ／Ｍ制御も可能である。
【００９３】
本実施形態の制御部は、中間アダプタ３０１を介して装着されているＡレンズ２０１の種類に応じて、ＡＥ機能を変更するので、Ａレンズ２０１の種類に応じて好適なＡＥ制御が可能である。
【００９４】
なお、上述した実施形態において、ＡＦ制御部（制御部）は、カメラボディに供えられているが、ＡＦ制御部（制御部）は、レンズ鏡筒や中間アダプタ３０１に備えられていても良いし、カメラボディレンズ鏡筒及び中間アダプタ３０１に備えられていても良い。
【００９５】
次のような変形も本発明の範囲内であり、変形例の一つ、もしくは複数を上述の実施の形態と組み合わせることも可能である。
【００９６】
上述の実施の形態にあっては、中間アダプタ３０１をＹボディ１０２に装着した場合には位相差検出式焦点検出部３６２を動作させ、コントラスト式焦点検出部３６４の動作を停止させたが、本発明の変形例では、中間アダプタ３０１をＹボディ１０２に装着した場合でも位相差検出式焦点検出部３６２とコントラスト式焦点検出部３６４との両方を動作可能としてもよい。このような変形例にあっては、中間アダプタ３０１の装着時に第２焦点検出信号判定部３６５は、コントラスト式焦点検出部３６４からの焦点検出信号が所定の第１の閾値及び所定の第２の閾値と比較して、第１の閾値以内であると判定したときには、表示制御部３６６を介して合焦表示マーク３９１を表示させ、第２の閾値以内であると判定したときには、表示制御部３６６を介して合焦表示マーク３９２を表示させる。
【００９７】
第１乃至第８の実施の形態及び上述の変形例は、適宜組み合わせて用いることもできるが、詳細な説明は省略する。また、本発明は、以上説明した各実施の形態によって限定されることはない。すなわち、本発明の特徴を損なわない限り、本発明は上記実施の形態に限定されるものではなく、本発明の技術的思想の範囲内で考えられるその他の形態についても、本発明の範囲内に含まれる。
【符号の説明】
【００９８】
１０２  Ｙタイプのカメラボディ（Ｙボディ）
３０  Ｙボディ制御部
３６  撮像素子
３９  表示部
３９１，３９２  合焦表示マーク
【図１】
2013076719.tif 000003
【図２】
2013076719.tif 000004
【図３】
2013076719.tif 000005
【図４】
2013076719.tif 000006
【図５】
2013076719.tif 000007
【図６】
2013076719.tif 000008
【図７】
2013076719.tif 000009